(57)【要約】  パイロット信号を検出するための装置および方法について本明細書で説明する。アクセス端末が、それのアクティブセット中の各パイロット信号が追跡され得るかどうかを判断する。追跡され得ない場合、アクセス端末は、追跡されないパイロットに関連付けられた探索ウィンドウ中心を、追跡を可能にする位置に調整する。いくつかの態様では、同じパイロットグループの追跡されるメンバーの既知の探索ウィンドウ中心が使用でき得る。【選択図】      図２
2013502854.tif 000002
【特許請求の範囲】
【請求項１】
マルチキャリアネットワーク環境においてパイロット信号を検出するための方法であって、
アクセス端末において、アクティブパイロットセット中に含まれるべき２つ以上のパイロット信号を含むトラフィックチャネル更新メッセージを受信することと、
前記アクセス端末が、前記２つ以上のパイロット信号の各々を追跡するための探索ウィンドウを記憶しているかどうかを判断することと、
前記アクセス端末が前記パイロット信号のうちの１つまたは複数のための探索ウィンドウを記憶していないことを判断すると、前記１つまたは複数のパイロット信号が追跡されることを可能にするために配置された探索ウィンドウ中心を前記１つまたは複数のパイロット信号に割り当てることと
を備える、方法。
【請求項２】
前記アクセス端末が前記２つ以上のパイロット信号の各々を追跡するための探索ウィンドウを記憶しているかどうかを判断することは、前記パイロット信号が前記アクセス端末によって前に検出され、記憶されたかどうかを判断することを備える、請求項１に記載の方法。
【請求項３】
前記アクセス端末が探索ウィンドウを記憶していない前記パイロット信号のうちの前記１つまたは複数がパイロットグループに属し、前記パイロットグループは、前記アクセス端末が探索ウィンドウを記憶している少なくとも１つのパイロット信号を含む、請求項１に記載の方法。
【請求項４】
前記割り当てることは、
前記アクセス端末が探索ウィンドウを記憶しておらず、前記パイロットグループに属する前記１つまたは複数のパイロット信号に、前記アクセス端末が探索ウィンドウを記憶している前記パイロットグループのメンバーに関連付けられた既知の探索ウィンドウ中心を割り当てること
をさらに備える、請求項３に記載の方法。
【請求項５】
前記パイロットグループの各メンバーは、共通の擬似乱数（ＰＮ）オフセットが関連付けられている、請求項３に記載の方法。
【請求項６】
マルチキャリアワイヤレスネットワークにおいてパイロット信号を検出するための装置であって、
アクティブパイロットセット中に含まれるべき２つ以上のパイロット信号を含むトラフィックチャネル更新メッセージを受信するように構成された受信機と、
パイロット信号の１つまたは複数のセットを維持するためのパイロット検出器と、
前記２つ以上のパイロット信号の各々を追跡することを可能にする探索ウィンドウが前記２つ以上のパイロット信号の各々について記憶されているかどうかを判断することと、前記パイロット信号のうちの１つまたは複数が、記憶された探索ウィンドウを有しないことを判断すると、前記１つまたは複数のパイロット信号が追跡されることを可能にするために配置された探索ウィンドウ中心を前記１つまたは複数のパイロット信号に割り当てることとを行うように構成された探索ウィンドウ計算器と
を備える、装置。
【請求項７】
探索ウィンドウ計算器は、前記２つ以上のパイロット信号の各々が前記アクセス端末によって前に検出され、記憶されたかどうかを判断するようにさらに構成された、請求項６に記載の装置。
【請求項８】
記憶された探索ウィンドウを有しない前記パイロット信号のうちの前記１つまたは複数がパイロットグループに属し、前記パイロットグループは、探索ウィンドウが記憶された少なくとも１つのパイロット信号を含む、請求項６に記載の装置。
【請求項９】
前記探索ウィンドウ計算器は、探索ウィンドウが記憶されておらず、前記パイロットグループに属する前記１つまたは複数のパイロット信号に、探索ウィンドウが記憶された前記パイロットグループのメンバーに関連付けられた既知の探索ウィンドウ中心を割り当てるようにさらに構成された、請求項８に記載の装置。
【請求項１０】
前記パイロットグループの各メンバーは、共通の擬似乱数（ＰＮ）オフセットが関連付けられている、請求項８に記載の装置。
【請求項１１】
マルチキャリアワイヤレスネットワークにおいてパイロット信号を検出するように構成された少なくとも１つのプロセッサであって、
アクティブパイロットセット中に含まれるべき２つ以上のパイロット信号を含むトラフィックチャネル更新メッセージを受信するための第１のモジュールと、
前記２つ以上のパイロット信号の各々を追跡するための探索ウィンドウが記憶されているかどうかを判断するための第２のモジュールと、
前記パイロット信号のうちの１つまたは複数のための探索ウィンドウが記憶されなかったことを判断すると、前記１つまたは複数のパイロット信号を追跡することを可能にする探索ウィンドウ中心を前記１つまたは複数のパイロット信号に割り当てるための第３のモジュールと
を備える、プロセッサ。
【請求項１２】
コンピュータに、アクティブパイロットセット中に含まれるべき２つ以上のパイロット信号を含むトラフィックチャネル更新メッセージを受信させるための第１のコードセットと、
前記コンピュータに、前記２つ以上のパイロット信号の各々を追跡するために探索ウィンドウが記憶されているかどうかを判断させるための第２のコードセットと、
前記パイロット信号のうちの１つまたは複数のための探索ウィンドウが記憶されなかったことを判断すると、前記１つまたは複数のパイロット信号を追跡することを可能にする探索ウィンドウ中心を前記１つまたは複数のパイロット信号に、前記コンピュータに、割り当てさせるための第３のコードセットと
を備える、コンピュータ可読媒体
を備える、コンピュータプログラム製品。
【請求項１３】
アクティブパイロットセット中に含まれるべき２つ以上のパイロット信号を含むトラフィックチャネル更新メッセージを受信するための手段と、
前記２つ以上のパイロット信号の各々を追跡するための探索ウィンドウが記憶されているかどうかを判断するための手段と、
前記パイロット信号のうちの１つまたは複数のための探索ウィンドウが記憶されなかったことを判断すると、前記１つまたは複数のパイロット信号を追跡することを可能にする探索ウィンドウ中心を前記１つまたは複数のパイロット信号に割り当てるための手段と
を備える、装置。
【請求項１４】
マルチキャリアワイヤレスネットワークにおいてパイロット信号を割り当てる方法であって、
アクセスネットワークにおいて、アクセス端末に関連付けられたアクティブパイロットセット中に含まれるべき１つまたは複数の潜在的なパイロット信号を示すルート更新メッセージを受信することと、
前記アクセス端末に、アクティブパイロットセット中に含まれるべき２つ以上のパイロット信号を含むトラフィックチャネル更新メッセージを送信することと
を備え、
前記アクセス端末は、前記２つ以上のパイロット信号の各々が、前記パイロット信号を追跡することを可能にする、探索ウィンドウが関連付けられているかどうかを判断し、前記パイロット信号のうちの１つまたは複数に探索ウィンドウが関連付けられていないことを判断すると、前記１つまたは複数のパイロット信号を追跡することを可能にする探索ウィンドウ中心を前記１つまたは複数のパイロット信号に割り当てる、方法。
【請求項１５】
探索ウィンドウが関連付けられていない前記１つまたは複数のパイロット信号がパイロットグループに属し、前記パイロットグループは、探索ウィンドウが関連付けられている少なくとも１つのパイロット信号を含む、請求項１４に記載の方法。
【請求項１６】
前記パイロットグループの各メンバーは、共通の擬似乱数（ＰＮ）オフセットが関連付けられている、請求項１５に記載の方法。
【請求項１７】
マルチキャリアワイヤレスネットワークにおいてパイロット信号を割り当てるための装置であって、
アクセス端末に関連付けられたアクティブパイロットセット中に含まれるべき１つまたは複数の潜在的なパイロット信号を示すルート更新メッセージを受信するように構成された受信機と、
前記ルート更新メッセージから、前記アクティブパイロットセット中に含まれるべき１つまたは複数のパイロットを判断するためのトラフィックチャネル割当てマネージャと、
前記アクティブパイロットセット中に含まれるべき２つ以上のパイロット信号を含むチャネル更新メッセージを送信するための送信機であって、前記２つ以上のパイロット信号のうちの少なくとも１つが前記アクセス端末によって前に検出されなかった、送信機と
を備え、
前記アクセス端末は、前記アクセス端末によって前記パイロット信号が追跡されることを可能にするために配置された探索ウィンドウ中心を、前に検出されなかった前記少なくとも１つのパイロット信号に割り当てる、装置。
【請求項１８】
前記アクセス端末によって前に検出されなかった前記少なくとも１つのパイロット信号が、前記アクセス端末によって前に検出された少なくとも１つのパイロット信号を備えるパイロットグループに属する、請求項１７に記載の装置。
【請求項１９】
前記パイロットグループの各メンバーは、共通の擬似乱数（ＰＮ）オフセットが関連付けられている、請求項１８に記載の装置。
【請求項２０】
マルチキャリアワイヤレスネットワークにおいてパイロット信号を割り当てるように構成された少なくとも１つのプロセッサであって、
アクセス端末に関連付けられたアクティブパイロットセット中に含まれるべき１つまたは複数の潜在的なパイロット信号を示すルート更新メッセージを受信するための第１のモジュールと、
前記アクセス端末に、アクティブパイロットセット中に含まれるべき２つ以上のパイロット信号を含むトラフィックチャネル更新メッセージを送信するための第２のモジュールと
を備え、
前記アクセス端末は、前記２つ以上のパイロット信号の各々が、前記パイロット信号を追跡することを可能にする、探索ウィンドウが関連付けられているかどうかを判断し、前記パイロット信号のうちの１つまたは複数に探索ウィンドウが関連付けられていないことを判断すると、前記１つまたは複数のパイロット信号が追跡されることを可能にするために配置された探索ウィンドウ中心を前記１つまたは複数のパイロット信号に割り当てる、プロセッサ。
【請求項２１】
コンピュータに、アクセス端末に関連付けられたアクティブパイロットセット中に含まれるべき１つまたは複数の潜在的なパイロット信号を示すルート更新メッセージを受信させるための第１のコードセットと、
前記アクセス端末に、アクティブパイロットセット中に含まれるべき２つ以上のパイロット信号を含むトラフィックチャネル更新メッセージを、前記コンピュータに送信させるための第２のコードセットと
を備える、コンピュータ可読媒体
を備える、コンピュータプログラム製品であって、
前記アクセス端末は、前記２つ以上のパイロット信号の各々が、前記パイロット信号を追跡することを可能にする、探索ウィンドウが関連付けられているかどうかを判断し、前記パイロット信号のうちの１つまたは複数に探索ウィンドウが関連付けられていないことを判断すると、前記１つまたは複数のパイロット信号が追跡されることを可能にするために配置された探索ウィンドウ中心を前記１つまたは複数のパイロット信号に割り当てる、コンピュータプログラム製品。
【請求項２２】
アクセス端末に関連付けられたアクティブパイロットセット中に含まれるべき１つまたは複数の潜在的なパイロット信号を示すルート更新メッセージを受信するための手段と、
前記アクセス端末に、アクティブパイロットセット中に含まれるべき２つ以上のパイロット信号を含むトラフィックチャネル更新メッセージを送信するための手段と
を備え、
前記アクセス端末は、前記２つ以上のパイロット信号の各々が、前記パイロット信号を追跡することを可能にする、探索ウィンドウが関連付けられているかどうかを判断し、前記パイロット信号のうちの１つまたは複数に探索ウィンドウが関連付けられていないことを判断すると、追跡され得ない前記１つまたは複数のパイロット信号が追跡されることを可能にするために配置された探索ウィンドウ中心を前記１つまたは複数のパイロット信号に割り当てる、装置。
【発明の詳細な説明】
【技術分野】
【０００１】
本出願は、一般にマルチキャリアワイヤレス通信に関し、より詳細には、パイロット信号を探索し、検出することに関する。
【背景技術】
【０００２】
ワイヤレス通信システムは、様々なタイプの通信（たとえば、音声、データ、ビデオなど）を複数のユーザに提供するために広く展開されている。そのようなシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または他の多元接続技法に基づき得る。
【０００３】
マルチキャリア通信システムは、単一のエンドポイントへのデータ送信のために複数のキャリアを採用する。たとえば、チャネル推定、タイミングおよび周波数取得、データ復調、受信信号強度測定など、様々な機能を実行する際に受信機（たとえば、端末）を支援するために、パイロットが送信機（たとえば、基地局）から受信機にしばしば送信される。
【０００４】
端末が１つの基地局から別の基地局にハンドオフし得る。そのようなハンドオフを可能にするために、端末は、代替周波数上で周期的に基地局を探索する。端末がハンドオフの候補となり得る基地局を検出した場合、それは基地局の端末アクティブセットに追加され得る。検出された周波数は、基地局によってサポートされる複数の周波数のうちの１つであり得る。しかしながら、端末が初めに追加の周波数を検出しなかった場合、端末は後でそれらの周波数を使用することができなくなることがある。特定の基地局によってサポートされる複数のパイロット周波数を探索し、検出する方法を有することが望ましいであろう。
【発明の概要】
【０００５】
以下で、１つまたは複数の態様の基本的な理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
いくつかの態様によれば、マルチキャリアネットワーク環境においてパイロット信号を検出するための方法は、アクセス端末において、アクティブパイロットセット中に含まれるべき２つ以上のパイロット信号を含むトラフィックチャネル更新メッセージを受信することと、アクセス端末が、２つ以上のパイロット信号の各々を追跡するための探索ウィンドウ（search window）を記憶しているかどうかを判断することと、アクセス端末がパイロット信号のうちの１つまたは複数のための探索ウィンドウを記憶していないことを判断すると、１つまたは複数のパイロット信号が追跡されることを可能にするために配置された探索ウィンドウ中心（search window center）を１つまたは複数のパイロット信号に割り当てることとを備える。
【０００７】
いくつかの態様によれば、マルチキャリアワイヤレスネットワークにおいてパイロット信号を検出するための装置は、アクティブパイロットセット中に含まれるべき２つ以上のパイロット信号を含むトラフィックチャネル更新メッセージを受信するように構成された受信機と、パイロット信号の１つまたは複数のセットを維持するためのパイロット検出器と、２つ以上のパイロット信号の各々を追跡することを可能にする探索ウィンドウが２つ以上のパイロット信号の各々について記憶されているかどうかを判断することと、パイロット信号のうちの１つまたは複数が、記憶された探索ウィンドウを有しないことを判断すると、１つまたは複数のパイロット信号が追跡されることを可能にする探索ウィンドウ中心を１つまたは複数のパイロット信号に割り当てることとを行うように構成された探索ウィンドウ計算器（search window calculator）とを備える。
【０００８】
いくつかの態様によれば、マルチキャリアワイヤレスネットワークにおいてパイロット信号を割り当てる方法は、アクセスネットワークにおいて、アクセス端末に関連付けられたアクティブパイロットセット中に含まれるべき１つまたは複数の潜在的なパイロット信号を示すルート更新メッセージを受信することと、アクセス端末に、アクティブパイロットセット中に含まれるべき２つ以上のパイロット信号を含むトラフィックチャネル更新メッセージを送信することとを備え、アクセス端末は、２つ以上のパイロット信号の各々が、パイロット信号を追跡することを可能にする、探索ウィンドウが関連付けられているかどうかを判断し、パイロット信号のうちの１つまたは複数に探索ウィンドウが関連付けられていないことを判断すると、１つまたは複数のパイロット信号を追跡することを可能にするために配置された探索ウィンドウ中心を、追跡され得ない１つまたは複数のパイロット信号に割り当てる。
【０００９】
いくつかの態様によれば、パイロット信号を割り当てるための装置は、アクセス端末に関連付けられたアクティブパイロットセット中に含まれるべき１つまたは複数の潜在的なパイロット信号を示すルート更新メッセージを受信するように構成された受信機と、ルート更新メッセージから、アクティブパイロットセット中に含まれるべき１つまたは複数のパイロットを判断するためのトラフィックチャネル割当てマネージャと、アクティブパイロットセット中に含まれるべき２つ以上のパイロット信号を含むチャネル更新メッセージを送信するための送信機であって、２つ以上のパイロット信号のうちの少なくとも１つがアクセス端末によって前に検出されなかった、送信機とを備え、アクセス端末は、アクセス端末によってパイロット信号が追跡されることを可能にするために配置された探索ウィンドウ中心を、前に検出されなかった少なくとも１つのパイロット信号に割り当てる。
【００１０】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１１】
添付の図面とともに以下に説明する開示する態様は、開示する態様を限定するためではなく、開示する態様を例示するために与えられ、同様の表示は同様の要素を示す。
【図面の簡単な説明】
【００１２】
【図１】様々な開示する態様による、ワイヤレス通信システムのブロック図。
【図２】様々な開示する態様による、２つのネットワークセクタを示す簡略ブロック図。
【図３】様々な開示する態様による、アクセス端末のブロック図。
【図４】様々な開示する態様による、基地局のブロック図。
【図５】様々な開示する態様による、例示的なパイロット信号検出プロセスを示すフローチャート。
【図６】様々な開示する態様による、例示的なパイロット検出通信フローを示すコールフロー図。
【図７】様々な開示する態様による、パイロット信号を検出する例示的なシステムの図。
【図８】様々な開示する態様による、パイロット信号を割り当てる例示的なシステムの図。
【発明を実施するための形態】
【００１３】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００１４】
次に、パイロット信号を検出するための装置および方法について説明する。デバイスによって検出されたキャリアのためのタイミングは、前に検出されなかった隣接するキャリアのための探索ウィンドウの中心を合わせるために使用され得る。図１に、様々な開示する態様を実装することが可能なワイヤレス通信ネットワーク１００を示す。１つまたは複数のアクセス端末（ＡＴ）１１０は、アクセスネットワーク（ＡＮ）１２０を介して、コアネットワーク１３０のサービスにアクセスし得る。矢印１１５によって示されるように、各ＡＴ１１０は、順方向リンクおよび／または逆方向リンク上で異なる周波数において１つまたは複数のチャネルを介してＡＮ１２０と通信し得る。
【００１５】
ＡＮ１２０は、ＡＴ１１０からコアネットワーク１３０へのインターフェースを与え、ＡＴ１１０とコアネットワークとの間でデータをルーティングし得る。ＡＮ１２０はまた、様々な無線アクセスおよびリンク保守機能を実行し得る。ＡＮ１２０は、基地局コントローラ（ＢＳＣ）、基地局トランシーバ（ＢＴＳ）、ノードＢなどの機能を含み、および／または実装し得る。（１つまたは複数の）ＡＴ１１０は、たとえば、ワイヤレス電話、ラップトップコンピュータ、セルラー電話、携帯情報端末（ＰＤＡ）、および／または他のワイヤレスデバイスを含み得る。コアネットワーク１３０は、たとえば、ｃｄｍａ２０００、Ｗ−ＣＤＭＡ、ＩＳ−９５、および／または他のマルチキャリア規格などの１つまたは複数の規格をサポートし得る。
【００１６】
アクセスネットワーク１２０は、あらかじめ定義されたサービスエリアまたはセル内のＡＴのためのインターフェースとして働き得る。いくつかの態様によれば、アクセスネットワークおよび／またはセルは、複数のセクタ１２２に分割され得る。いくつかの態様では、各セクタ１２２には、セクタをサービスするための基地局が関連付けられ得る。他の態様では、単一の基地局が複数のセクタをサービスし得る。図２に、例示的なアクセスネットワーク２００を示す。
【００１７】
図２に示すように、ＡＮ２００は、第１のセクタ２１０と第２のセクタ２２０とを含み得る。２つのセクタのみが示されているが、ＡＮ２００は任意の数のセクタを含み得る。各セクタ２１０、２２０は基地局を含み得る。セクタ２１０は基地局２１２を含み得るが、セクタ２２０は基地局２２２を含み得る。
【００１８】
パイロット信号またはパイロットは、基地局によってブロードキャストされる基準信号である。ＡＴは、パイロットを検出し、ＢＳに接続するために検出されたパイロットを使用し得る。マルチキャリアシステムでは、基地局またはセクタには、１つまたは複数のパイロットが関連付けられ得る。パイロットは、擬似乱数（ＰＮ）オフセットとチャネルインジケータとを備える順序対によって指定され得る。図２に示すように、ＢＳ２１２には、順序対（Ｃ０，ＰＮ１）によって指定され得る単一のパイロット２１４が関連付けられ得る。ＢＳ２２２は、順序対（Ｃ０，ＰＮ２）によって指定された第１のパイロット２２４と、順序対（Ｃ１，ＰＮ２）によって指定された第２のパイロット２２６と、順序対（Ｃ２，ＰＮ２）によって指定された第３のパイロット２２８とが関連付けられ得る。パイロットグループは、同じＰＮオフセットを有し、同じセクタ中にある、２つ以上のパイロットから形成され得る。たとえば、パイロット２２４、２２６、および２２８は、各々が同じＰＮオフセットＰＮ２を有するので、同じパイロットグループに属し得る。
【００１９】
ＡＴ２３０は、ＢＳ２１２および／またはＢＳ２２２と通信するように構成され得る。すなわち、ＡＴ２３０は、ＢＳ２１２および／またはＢＳ２２２によってブロードキャストされるパイロットを検出するように構成され得る。ＡＴ２３０は、たとえば、アクティブセット、候補セット、ネイバーセット、および残りのセットなど、パイロットの複数のセットを維持し得る。アクティブセットは、ＡＴが通信している基地局またはセクタを識別し得る。候補セットは、パイロットが十分な信号強度でＡＴにおいて受信されたが、基地局によってアクティブセットに入れられていない基地局またはセクタを識別し得る。ネイバーセットは、加入者局との通信の確立の候補の可能性がある基地局またはセクタを識別する。残りのセットは、他のセットのいずれかの一部でないシステム中の基地局またはセクタを識別する。
【００２０】
通信が初めに確立されると、ＡＴ２３０は第１の基地局を通して通信し得、それのアクティブセットは第１の基地局のパイロット信号のみを含み得る。たとえば、ＡＴ２３０は、初めにＢＳ２１２を通して通信し得、アクティブセット中のパイロット信号２１４を含み得る。ＡＴ２３０は、それのネイバーおよび残りのパイロットセットを周期的に探索し得る。ＡＴ２３０が強いパイロットを検出した場合、パイロットは候補セットに格上げされ、ＡＮに報告され得る。ＡＮは、パイロットをＡＴ２３０のアクティブセットに追加することを決定し得る。たとえば、ＡＴ２３０はパイロット２２４を検出し得、ＡＮはパイロットをＡＴ２３０のアクティブセットに追加し得る。パイロット２２４と同じパイロットグループに属するパイロット２２６および２２８がＡＴ２３０によって検出されていなくても、ＡＮはこれらのパイロットをさらに追加し得る。
【００２１】
（アクティブ、候補、ネイバー、および残りの）各パイロットセットには、探索ウィンドウが関連付けられ得る。探索ウィンドウは、たとえば、ＡＴの現在のロケーションなどの所与の基準点からの距離を（チップ単位で）示す。従来のアクセス端末では、検出されたパイロットと同じパイロットグループに属するパイロットがＡＴのアクティブセットに追加された場合、それらがアクティブセット探索ウィンドウの外側に位置するならば、ＡＴは、パイロットの位置を特定することが可能でないことがある。したがって、ＡＴは、パイロットグループ中のすべてのパイロットを介して通信することに関連するスループット改善を利用することができない。たとえば、ＡＴが１００チップのネイバーセット探索ウィンドウを有し、ネイバーパイロットが７０チップにおいて検出されると仮定する。検出されたネイバーパイロットは、２つの追加のパイロットを備えるパイロットグループに属する。ネイバーパイロットが検出されると、ネイバーパイロットがアクティブセットに移動した後、ＡＴはネイバーパイロットのロケーションを記録し、そのネイバーパイロットの探索の中心を合わせるためにそのロケーションを使用し得る。すなわち、ＡＴは、アクティブセット探索ウィンドウを使用して検出されたパイロットを探索するように構成され得る。探索は、前に検出されたパイロットの位置を中心とし得る。ＡＴは、検出されたパイロットを追跡することが可能であるが、パイロットグループに属する２つの追加のパイロットを検出することができないことがある。これは、ＡＴが検出されたパイロットのロケーションをのみ記録したからである。したがって、パイロットグループ中の他の２つのパイロットを探索するとき、探索はＡＴの現在のロケーションを中心としたままである。しかしながら、アクティブセットが６０チップの探索ウィンドウを有するように設定された場合、たとえば、探索の中心がそれらのパイロットについて記録されなかったので、ＡＴはパイロットグループの２つの追加のパイロットの位置を特定することができないであろう。新しい探索中心が設定されなかった場合、ＡＴは、それの現在のロケーションを使用してパイロットを探索することを試みる。この例では、パイロットのロケーションがアクティブ探索ウィンドウの外側にあるために、探索は失敗するであろう。
【００２２】
図３に、パイロットグループ中のすべてのパイロットの使用を可能にする様々な開示する態様を組み込んだ例示的なＡＴ３００を示す。モバイルデバイス３００は、たとえば受信アンテナ（図示せず）から信号を受信し、受信信号に典型的な動作（たとえば、フィルタ処理、増幅、ダウンコンバートなど）を実行し、サンプルを取得するために調整された信号をデジタル化する受信機３０２を備え得る。ＡＴ３００は、受信シンボルを復調し、プロセッサ２０６にそれらを供給することができる復調器３０４をも備え得る。プロセッサ３０６は、受信機３０２によって受信された情報の分析および／または変調器３１２に動作可能に結合された送信機３１６による送信のための情報の生成に専用のプロセッサ、ＡＴ３００の１つまたは複数の構成要素を制御するプロセッサ、および／または受信機３０２によって受信された情報の分析、送信機３１６による送信のための情報の生成、ならびにＡＴ３００の１つまたは複数の構成要素の制御を行うプロセッサとし得る。
【００２３】
ＡＴ３００は、プロセッサ３０６に動作可能に結合されており、送信され、受信されるデータ、ネットワーク接続性に関係する情報、および／または任意の他の好適な情報となるべきデータを記憶することができるメモリ３０８をさらに備え得る。メモリ３０８は、ネットワーク接続性もしくはＡＴ３００によって実行される他の機能に関連するプロトコルおよび／またはアルゴリズムをさらに記憶し得る。メモリ３０８は、揮発性メモリまたは不揮発性メモリのいずれかであり得、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。メモリ３０８は、これらおよび任意の他の好適なタイプのメモリを、限定されることなく、備えるものとする。
【００２４】
上記で説明したように、ＡＴ３００などのＡＴは、アクティブセット、候補セット、およびネイバーセットを含むパイロット信号のリストを維持し得る。メモリ３０８は、パイロット信号のリストを記憶するための１つまたは複数のパイロットテーブル３１０を記憶し得る。
【００２５】
プロセッサ３０６は、さらにパイロット検出器３１８と探索ウィンドウ計算器３２０とに動作可能に結合され得る。パイロット検出器３１８は、パイロット信号を検出し、測定するために通信チャネルを監視するように構成され得る。パイロット検出器３１８は、アクティブ、候補、ネイバー、および残りのパイロットのセットを生成し、パイロットテーブル３１０においてパイロットセットのストレージを可能にし得る。
【００２６】
探索ウィンドウは、各セット中に含まれるべきパイロットを判断するために使用され得る。探索ウィンドウ計算器３２０は、アクティブ、候補、ネイバーおよび残りのパイロットセットのための探索ウィンドウサイズを設定するように構成され得る。探索ウィンドウ計算器３２０はまた、アクティブ探索ウィンドウがセット中の各アクティブパイロットを追跡するために設定されるかどうかを判断するように構成され得る。パイロットが追跡されない場合、探索ウィンドウ計算器３２０は探索ウィンドウを調整するように構成され得る。たとえば、同じパイロットグループに属するパイロットの場合、探索ウィンドウ計算器３２０は、パイロットグループの追跡されないメンバーのための探索ウィンドウを、同じパイロットグループ中の追跡されたパイロットの探索ウィンドウ中心に設定し得る。
【００２７】
図４に、様々な開示する態様による、トラフィックチャネルとパイロットとを割り当てるための例示的なシステム４００を示す。システム４００は基地局４０２（たとえば、アクセスポイント、フェムトセル、．．．）を備え、基地局４０２は、複数の受信アンテナ４０６を通して１つまたは複数のモバイルデバイス４０４から（１つまたは複数の）信号を受信する受信機４１０と、送信アンテナ４０８を通して１つまたは複数のモバイルデバイス４０４に送信する送信機４２４とを有する。受信機４１０は、受信アンテナ４０６から情報を受信することができ、受信された情報を復調する復調器４１２に動作可能に関連する。復調されたシンボルは、図３に関して上記で説明したプロセッサと同様とすることができるプロセッサ４１４によって分析され、プロセッサ４１４は、チャネル割当てに関係する情報、および／または本明細書で記載される様々な行為および機能を実行することに関係する任意の他の好適な情報を記憶するメモリ４１６に結合される。プロセッサ４１４は、ＡＴアクティブパイロットセット中に含まれるべきパイロット信号のリストを与えることができるトラフィックチャネル割当てマネージャ４１６にさらに結合される。
【００２８】
一例によれば、基地局４０２は、（１つまたは複数の）ＡＴ４０４のうちの１つまたは複数からルート更新メッセージを受信することができる。トラフィックチャネル割当てマネージャ４１８は、（１つまたは複数の）ＡＴに関係するアクティブパイロットセット中に含まれるべきルート更新メッセージから、１つまたは複数のパイロットを判断することができる。プロセッサ４１４とは別個のものとして図示されているが、トラフィックチャネル割当てマネージャ４１８、復調器４１２、および／または変調器４２２は、プロセッサ４１４または複数のプロセッサ（図示せず）の一部とすることができることを諒解されたい。
【００２９】
図５は、様々な開示する態様による、例示的なパイロット取得方法を示すフローチャートである。５０２に示すように、ＡＴが、ＢＳから初期パイロット割当て（initial pilot assignment）を受信する。これは、ＡＴがＢＳとの通信を確立することを可能にする。いくつかの態様によれば、パイロット割当ては、ＡＴからの接続要求メッセージに応答して行われ得る。
【００３０】
５０４に示すように、ＡＴは、同じまたは異なるＢＳに関連付けられたことがある近隣パイロットを周期的に探索する。ＡＴは、所定のネイバー探索ウィンドウ内の近隣パイロットを探索し得る。いくつかの態様によれば、ネイバー探索ウィンドウはＡＴによって構成される。他の態様では、それはＢＳによって定義され得る。探索ウィンドウは、たとえば、所与の基準点からのチップの数として定義され得る。たとえば、ＡＴは、ＡＴの現在のロケーションからの所与の数のチップとして、ネイバーセット中のパイロットのための探索ウィンドウを定義し得る。
【００３１】
５０６において、検出されたネイバーがアクティブセット中に入れるための候補とし得るかどうかに関する判断を行う。いくつかの態様によれば、ＡＴは、検出されたネイバーの信号強度を測定して、それがあらかじめ定義されたしきい値を超えるかどうかを判断し得る。そうであれば、それぞれのパイロットがＡＴの候補セットに入れられ得る。そうでない場合、ＡＴは、ネイバーを周期的に監視し続け得る。
【００３２】
ネイバーパイロットが候補セットに移動された場合、５０８に示すように、ＡＴはルート更新メッセージをＢＳに送る。ルート更新メッセージは、ＡＴのアクティブセット中のすべてのパイロットと、それの候補セット中のものとを識別し得る。いくつかの態様によれば、ルート更新メッセージは、ＡＴネイバーセット中のそれらのパイロットをも含み得る。パイロットの識別情報に加えて、ルート更新メッセージは、検出された信号強度をも含み得る。
【００３３】
ＢＳは、ルート更新メッセージを検討し、あらかじめ定義された基準に基づいて、どのパイロットがＡＴのアクティブセット中にあるべきかを判断し得る。たとえば、ＢＳは、検出された信号強度に基づいて決定し得る。ＢＳは、アクティブセット中に入れるべきそれらのパイロットを示すトラフィックチャネル更新（ＴＣＡ）メッセージをＡＴに送信し、５１０に示すように、ＡＴはＴＣＡメッセージを受信する。次いで、ＡＴは、示されたパイロットをそれのアクティブセットに記憶する。
【００３４】
５１２に示すように、ＡＴは、それのアクティブセット中のすべてのパイロットのための探索ウィンドウ中心が追跡されているかどうかを判断する。そうであれば、ＡＴは、それのアクティブセット中のパイロットのいずれかを介して通信し得る。一般に、ＡＴは、それが前に検出したすべてのパイロットのロケーションを知るであろう。したがって、それは、既知のロケーションを中心とした探索ウィンドウを割り当てることによって、パイロットのロケーションを追跡することができる。しかしながら、代表的なパイロットのみが追跡されたパイロットグループに属するパイロットの場合、ＡＴは、グループ中の前に検出されなかったパイロットを追跡するための更新された基準点を有しない。パイロットロケーションが初期アクティブ探索ウィンドウの外側にある場合、ＡＴは、探索がＡＴの現在のロケーションに中心を合わせられるように、そのようなパイロットの位置を特定することができないことがある。より詳細には、ＡＴが前に検出されなかったパイロットに関連付けられたロケーションを記録していなかったので、ＡＴは新しい探索ウィンドウ中心を与えることができない。
【００３５】
５１６に示すように、探索ウィンドウ中心がそれのアクティブセット中のパイロットのために追跡されていない場合、ＡＴは、そのパイロットがどのパイロットグループに属するかを判断する。上記で説明したように、同じパイロットグループに属するパイロットは、同じＰＮオフセットを有する。５１８に示すように、ＡＴは、追跡されていないパイロットの探索ウィンドウ中心を、対応する追跡されたパイロットグループメンバーの探索ウィンドウ中心に設定する。したがって、次に、ＡＴは、パイロットの位置を特定することが可能であり、パイロットグループ中のすべてのパイロットを利用することができる。これは、ＡＴが前に追跡されないパイロットの１つまたは複数を利用することを可能にすることによって、ＡＴのスループットを改善し得る。
【００３６】
図６は、ＡＴとＡＮ（またはＡＮの基地局）との間の通信を示す例示的なコールフロー図である。６０２に示すように、ＡＴには、初めに、第１のパイロット（Ｃ０，ＰＮ１）を含むアクティブセット（ＡＳｅｔ）が関連付けられている。ＡＴは、それのネイバーセット（ＮＳｅｔ）中に１つのパイロット、パイロット（Ｃ０，ＰＮ２）をも有し得る。近隣パイロットは、ＡＴによって検出されているか、またはＡＮによって供給されていることがある。
【００３７】
６０４に示すように、両方のパイロットを監視しながら、ＡＴは、１つまたは複数の所定の基準に基づいて、ＮＳｅｔパイロット（Ｃ０、ＰＮ２）が、それのアクティブセットに追加するための候補とし得ることを判断する。次いで、ＡＴは、パイロットをそれの候補セット（ＣＳｅｔ）に移動し得る。６０６に示すように、ＡＴは、それの記憶／検出されたパイロットを識別するルート更新メッセージをＡＮに送信する。したがって、この例では、ルート更新メッセージはパイロット（Ｃ０，ＰＮ１）と（Ｃ０，ＰＮ２）とを含む。ルート更新メッセージは、たとえば、検出された信号強度などの、各パイロットに関連付けられた１つまたは複数のパラメータをも含み得る。
【００３８】
６０８に示すように、ＡＮは、１つまたは複数のあらかじめ定義された条件に基づいて、ルート更新メッセージ中で報告されるパイロットがＡＴのアクティブセット中に含まれるべきかどうかを判断する。たとえば、ＡＮは、信号強度しきい値または任意の他のパラメータに基づいて、パイロットがアクティブセット中に含まれるべきかどうかを決定し得る。どのパイロットがＡＴのアクティブセットに入れられるべきかを判断すると、ＡＮは、アクティブセットに記憶されるべきそれらのパイロットを指定するトラフィック条件割当て（ＴＣＡ）メッセージをＡＮに送信する。
【００３９】
この例によれば、パイロット（Ｃ０，ＰＮ２）は、パイロット（Ｃ１，ＰＮ２）と（Ｃ２，ＰＮ２）とをも備えるパイロットグループに属し得る。前にＡＴによって検出されていないが、ＡＮは、それのＴＣＡメッセージ中の検出されたパイロットグループと同じグループに属するすべてのパイロットを含み得る。６１０に示すように、ＡＴは、ＴＣＡメッセージ中で識別された各パイロットについて、それの探索ウィンドウ中心が追跡されているかどうかを判断する。ステップ６１２において、図５に関して上記で説明したように、ＡＴは、追跡されていないそれらのパイロットについて、必要に応じて探索ウィンドウ中心を更新する。
【００４０】
本明細書で説明する実施形態は、ハードウェア、ソフトウェア、ファームウェア、ミドルウェア、マイクロコード、またはそれらの任意の組合せで実装され得ることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明した機能を実行するように設計された他の電子ユニット、またはそれらの組合せの中で実装され得る。
【００４１】
実施形態は、ソフトウェア、ファームウェア、ミドルウェアまたはマイクロコード、プログラムコードまたはコードセグメントで実装した場合、記憶構成要素などの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、好適な手段を使用してパス、フォワーディング、または送信され得る。
【００４２】
ソフトウェア実装の場合、本明細書で説明した技法は、本明細書で説明した機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【００４３】
図７を参照すると、マルチキャリアネットワークにおいてパイロット信号を検出するシステム７００が示されている。たとえば、システム７００は、少なくとも部分的にアクセス端末内に常駐することができる。システム７００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム７００は、連携して動作することができる電気的構成要素の論理グルーピング７０２を含む。たとえば、論理グルーピング７０２は、アクティブパイロットセット中に含まれるべき２つ以上のパイロット信号を含むトラフィックチャネル更新メッセージを受信するためのモジュール７０４を含むことができる。
【００４４】
さらに、論理グルーピング７０２は、２つ以上のパイロット信号の各々が追跡され得るかどうかを判断するためのモジュール７０６を備えることができる。さらに、論理グルーピング７０２は、パイロット信号のうちの１つまたは複数が追跡され得ないことを判断すると、１つまたは複数のパイロット信号を追跡することを可能にするために配置された探索ウィンドウ中心を、追跡され得ない１つまたは複数のパイロット信号に割り当てるためのモジュール７０８を備えることができる。さらに、システム７００は、電気的構成要素７０４、７０６、および７０８に関連する機能を実行するための命令を保持するメモリ７１０を含むことができる。メモリ７１０の外部にあるものとして示されているが、電気的構成要素７０４、７０６、および７０８の１つまたは複数は、メモリ７１０の内部に存在することができることを理解されたい。
【００４５】
図８を参照すると、マルチキャリアネットワークにおいてパイロット信号を割り当てるシステム８００が示されている。たとえば、システム８００は、少なくとも部分的にアクセスネットワーク内に常駐することができる。図示のように、システム８００はプロセッサ、ソフトウェア、またはそれらの組合せ（たとえば、ファームウェア）によって実装される機能を表すことができる機能ブロックを含む。システム８００は、メッセージを受信し、処理する電気的構成要素の論理グルーピング８０２を含む。論理グルーピング８０２は、アクティブパイロットセット中に含まれるべき１つまたは複数の潜在的なパイロット信号を示すルート更新メッセージを受信するためのモジュール８０４を含むことができる。その上、論理グルーピング８０２は、アクセス端末に、アクティブパイロットセット中に含まれるべき２つ以上のパイロット信号を含むチャネル更新メッセージを送信するためのモジュール８０６を含むことができる。この点について、アクセス端末は、２つ以上のパイロット信号の各々が追跡され得るかどうかを判断し得、パイロット信号のうちの１つまたは複数が追跡され得ないことを判断すると、１つまたは複数のパイロット信号を追跡することを可能にするために配置された探索ウィンドウ中心を、追跡され得ない１つまたは複数のパイロット信号に割り当てる。さらに、システム８００は、電気的構成要素８０４および８０８に関連する機能を実行するための命令を保持するメモリ８０６を含むことができる。メモリ８０８の外部にあるものとして示されているが、電気的構成要素８０４および８０６はメモリ８０８の内部に存在することができることを理解されたい。
【００４６】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとし得るが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００４７】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとし得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００４８】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００４９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）とＣＤＭＡの他の変形態とを含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ  などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００５０】
様々な態様または特徴は、いくつかのデバイス、構成要素、モジュールなどを含み得るシステムに関して提示される。様々なシステムは、追加のデバイス、構成要素、モジュールなどを含むことがあり、および／または各図に関連して論じるデバイス、構成要素、モジュールなどのすべてを含まないことがあることを理解および諒解されたい。これらの手法の組合せを使用することもされ得る。
【００５１】
本明細書で開示した実施形態に関して説明した様々な例示的なロジック、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサとし得るが、代替として、プロセッサは任意の従来のプロセッサ、コントローラ、マイクロコントローラ、または状態機械とし得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもされ得る。さらに、少なくとも１つのプロセッサは、上述のステップおよび／またはアクションの１つまたは複数を実行するように動作可能な１つまたは複数のモジュールを備え得る。
【００５２】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化し得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐することもされ得る。さらに、いくつかの態様では、方法またはアルゴリズムのステップおよび／またはアクションは、コンピュータプログラム製品に組み込み得る、機械可読媒体および／またはコンピュータ可読媒体上のコードおよび／または命令の１つまたは任意の組合せ、あるいはそのセットとして常駐し得る。
【００５３】
１つまたは複数の態様では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とし得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００５４】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【図１】
2013502854.tif 000003
【図２】
2013502854.tif 000004
【図３】
2013502854.tif 000005
【図４】
2013502854.tif 000006
【図５】
2013502854.tif 000007
【図６】
2013502854.tif 000008
【図７】
2013502854.tif 000009
【図８】
2013502854.tif 000010
【国際調査報告】
2013502854.tif 000011
2013502854.tif 000012